(57)【特許請求の範囲】
【請求項１】
吸入装置であって、
ａ．ほぼ弓状の支持体を有するヘッドセットと、
ｂ．前記ヘッドセットに回転できるように装着している、少なくとも一つのアーム部材を有し、流体室を含み、前記ヘッドセットがユーザの頭の上に位置したとき、前記流体室をユーザの顔に並列になるように回転できるマスク部材であって、前記流体室が、前記アーム部材を通して、流体源と連絡している流体入口と、排出出口と、前記入口または出口の一方を開くための弁とを有するマスク部材とを備える吸入装置。
【請求項２】
請求項１に記載の吸入装置において、前記ヘッドセットは、前記支持体の各端部上に一組のイヤピースを有し、前記アーム部材は第一のアーム部材及び第二のアーム部材からなり、前記第一のアーム部材及び第二のアーム部材は、それぞれイヤピースに装着されている吸入装置。
【請求項３】
請求項２に記載の吸入装置において、前記第一のアーム部材及び第二のアーム部材が、前記流体室まで延びていて、前記室と連絡し、前記各アーム部材が、関連イヤピースに回転できるように装着され、その各端部にそれぞれ前記流体源および排出出口に接続するためのピボット弁を含む吸入装置。
【請求項４】
請求項３に記載の吸入装置において、前記各アーム部材が、各流体入口または排出出口に接続している、少なくとも一つの流体導管または排出導管を含み、前記流体導管が、前記ピボット弁を通して、流体源に接続している吸入装置。
【請求項５】
請求項２、請求項３または請求項４に記載の吸入装置において、少なくとも前記イヤピースの一方に位置する、少なくとも一つのスピーカを含む吸入装置。
【請求項６】
請求項２、請求項３または請求項４に記載の吸入装置において、各イヤピースに位置するスピーカと、前記イヤピースまたは前記マスク部材の一方に接続され、ユーザの口の前に位置させることができる、少なくとも一つのマイクロホンを含む吸入装置。
【請求項７】
請求項２、請求項３または請求項４に記載の吸入装置において、各イヤピースに位置する、送信機回路および受信機回路およびスピーカおよび前記送信機回路に電気的に接続しているマイクロホンを含む吸入装置。
【請求項８】
請求項１または請求項３に記載の吸入装置において、前記イヤピースの少なくとも一方に送信機回路とスピーカとを含み、前記送信機回路が、少なくともオーディオまたはビデオ手段を作動するための出力手段を含む吸入装置。
【請求項９】
請求項１、請求項２または請求項３に記載の吸入装置において、前記流体源が、小児科用鎮静用の麻酔薬を含む吸入装置。
【請求項１０】
請求項１、請求項２または請求項３に記載の吸入装置において、排出ガスまたは吐き出されたガスをモニタするモニタ手段が、前記排出出口と連絡している吸入装置。
【請求項１１】
請求項１、請求項２または請求項３に記載の吸入装置において、排出ガスまたは吐き出されたガスをモニタするモニタ手段が、前記流体入口と連絡している吸入装置。
【請求項１２】
モニタ装置であって、
ａ．ほぼ弓状の支持部材および前記支持部材の一方の端部上に、少なくとも一つのイヤピースを有するヘッドセットと、
ｂ．前記ヘッドセットに回転できるように装着している、少なくとも一つのアーム部材を有し、ユーザからの排出流出流体を収集するための流体室を含み、前記流体室が、排出ポートと、排出ガスまたは吐き出されたガスをモニタするために、前記排出ポートと連絡しているモニタ手段を有するマスク部材とを備えるモニタ装置。
【発明の詳細な説明】
発明の分野
本発明は、麻酔投与噴霧化、個人用呼吸保護および類似の用途に使用されるものであって、二酸化炭素のような呼気化学現象をモニタするための吸入装置に関し、特に麻酔を行うための邪魔にならないマスクを供給する鎮静装置に関する。
発明の背景
吸入および呼吸モニタ装置は、一般的に広く知られている。これらの装置としては、亜酸化窒素のような麻酔薬を投与し、二酸化炭素、呼気の流れ等を測定するための麻酔用マスク等があるし、有害な環境で使用される個人用呼吸装置、空気中の塵および粒子を濾過するために使用される個人用マスクもある。吸入装置は、また種々の呼吸疾患の治療の際に使用する種々の薬剤を噴霧化するためにも使用されてきた。通常、前記装置は、特定のある目的のための最終的な使用のために設計されてきた。今までほとんどの場合、モニタ手段は、吸入装置システムでは使用されなかった。
小児科の患者を管理する際の一つの技法としての意識がある状態で鎮静する方法が、現在広く知られ、一般に受け入れられている。意識のある状態での鎮静が、苦痛を伴う外傷に対して有効な管理手段であることは、証拠がそれを証明している。前記技法は、亜酸化窒素および手術室で使用することができ、患者を意識がある状態で鎮静させるための麻酔剤を管理するために、病院の緊急室で使用できるようになっている酸素を使用する。しかし、意識のある状態で鎮静するために、亜酸化窒素および酸素を使用する方法は、現在のところ、小児科の外傷患者の治療には広く使用されていない。過去の周知の知識では、子供の間の不安を取り除く一つの方法としての小児科用の麻酔剤の実際の効果は、依然としてまだよく分かっていない。現在では、麻酔吸入または噴霧状の薬剤を投与しながら、不安を抱いている小児科の患者を安心させるために、テレビ、ビデオテープ、テープ録画、玩具等が使用されている。さらに、そのような環境では、患者、特に子どもの呼気をモニタするのは困難である。
緊急治療室で亜酸化窒素および酸素を使用する際の一つの重大な問題は、その患者の顔を上にマスクをかぶせて前記ガスを吸入させている間に子どもの不安が増大することである。前記ガス吸入の際に、子どもの親が側にいても、子どもの不安が増大することが分かっている。都合の悪いことに、自分の顔の上に麻酔用のマスクを載せて、何等かの医学的な治療を受ける子どもは、非常な恐怖感を抱く。この不安により、治療を完了するのがある程度困難になる。従って、子どもに吸入させた薬剤を管理する方法および手段は、それがいかなるものであれ、非常に望ましいものである。このような装置は、疾患が外傷でない場合には使用されてきた。例えば、予め録音した音が、ハンドセットを通して送られ、麻酔ガスがマウスピースを通して供給される電話機のような装置がある。英国特許ＧＢ２０８１１０５Ａ参照。しかし、ストレスが大きい状況で治療する場合には、患者や吸入や自分を制御するのに非常な努力をしないでも麻酔剤の急速な投与を容易に行うことができる装置が必要になる。
それ故、本発明の一つの目的は、子供に恐怖感をや不安を与えないで、子供に対してインターフェースの働きをする小児科用の鎮静装置を提供することである。本発明の他の目的は、子供に親しみやすく玩具のような感じで、子供が治療に対して不安を持っているような場合でも、子供に恐怖感を与えないような装置を提供することである。本発明のさらに他の目的は、小児科の患者を治療するために、治療の際に容易に使用することができるマスクを提供することである。本発明のさらに他の目的は、医療の際に役に立つばかりでなく、空気フィルタまたは個人用呼吸装置のような、他の吸入手順用にも使用することができる、吸入装置を提供することである。本発明のさらに他の目的は、ユーザ、特に小児科の患者の呼気化学現象をモニタするのに使用することができる装置を提供することである。
発明の概要
一般的に、本発明は、噴霧装置または個人用呼吸装置として、麻酔剤の投与の際に使用することができ、および／または、装着者の呼気化学現象をモニタすることができる吸入装置に関する。最も簡単な構造の場合、本発明は、ユーザの頭に装着することができるヘッドピースを備え、好適な実施形態の場合には、イヤホンを収容しているイヤピースを有する調整可能なヘッドセットを含む。前記ヘッドピースは、吸入および排出弁関連の入口導管、および排気導管を持つ室またはマスクを含む、移動可能な顔面用部材を含む。前記入口導管は、動作できるように、吸入薬剤源、呼吸装置フィルタまたは清浄な空気または酸素源、ＣＯ2モニタ、ブルドン管圧力計、流量計、呼吸頻度モニタおよび類似のモニタ装置のようなモニタ装置に接続することができる。
本発明のこの好適な実施形態の場合には、前記吸入装置は、医療を必要としている子供の不安を増大させないで、医療現場で使用することができる小児科用の鎮静に関する。一般に、本発明は、ヘッドホンおよびそれに取り付けられたマイクロホンのつもりで、子供が自分の頭に取り付けることができる装置を提供する。
より詳細に説明すると、上記好適な実施形態は、装着状態を調整することができ、どんな年齢の子供でも頭に被ることができるヘッドセットを提供する。最も重要なことは、本発明の鎮静装置は、帽子のように、子供が自分で被ることができることである。前記ヘッドセットは、好適には、子供の耳を覆うことができ、データ、パルス酸素計、音響等をを送受信するために使用されるスピーカおよび集積回路チップを含むことができる、一組のイヤピースを含むことが好ましい。患者の鼻をカバーすることができる、顔面用のノーズピースがその上に位置しているアームまたはヨークが、ピボットにより自由に回転できるように装着されている。前記ノーズピースには、患者に麻酔薬を投与し、吐き出した空気を排出するための吸入および排出弁手段が内蔵されている。本発明の好適な実施形態の場合には、吸入薬剤または麻酔剤の供給源から、前記弁に前記吸入薬剤または麻酔剤を供給するために、自由に回転できるヨークに、一組のガス入口導管および排出導管が、一体に形成されている。前記排出導管は、好適には、ユーザが吐き出した空気を吸い出すために、小型の真空ポンプに接続することが好ましい。モニタ装置は、弁手段のすぐ後ろの排出導管内に装着することが最も好ましい。
本発明の他の実施形態の場合には、好適には、小型のマイクロホンが、イヤピース内に位置する電子回路チップに接続しているマイクロホンとして、独立して内蔵されている、自由に回転できるアームに取り付けられているマウスピースに内蔵されていることが好ましい。超小型電子回路を、ＬＥＤ、赤外線、マイクロ波により作動するヘッドセット、または治療中、ユーザの注意をそらすために使用する他のリモコン手段会話型ビデオ、またはマルチメディア視覚装置に内蔵させることができる。
この好適な実施形態の場合には、好適には、無線であることが好ましい、通信システムが、ヘッドピースに位置する回路に内蔵されていて、患者の両親、医者、等が近い場所または遠く離れた場所と通信したり、保証または命令を与えたりすることができる。顔面用ピースに内蔵されているマイクロホンにより、より高いレベルの保証を行い、ユーザの不安を軽減するために他の人と絶えず連絡することができる。
実際に使用する場合、容易に識別でき、気楽に使用できるインターフェースにするために、本発明の鎮静装置に種々の魅力的な色を塗り、子供が頭に被った場合、非常に楽な気分になるようにする。疾患が外傷でない場合または差し迫った緊急医療を必要としない場合には、電子回路を有する鎮静装置を内蔵させることができ、および／または、吸入または排出手段を取り外すことができる。そのため、子供は待合室の玩具に馴染むように、この装置に馴染むことができる。そのような場合、イヤピースは、スピーカおよび閉回路オーディオ受信機を含むことができ、そのため、子供がそれを頭に被った場合、治療を始める前に、音楽または医者の音声による指示を聞くことができる。本発明の鎮静装置は、放送界で使用されていて、子供が見なれているヘッドホンおよびマイクロホンに、外観および感じが似ているので、子供は非常に気楽に違和感を感じないで、不安を持たずに麻酔薬の投与を受けることができる。
子供が進んでヘッドピースを被り、本物のヘッドホンのように使用したがるので、本発明の装置は、通常、気軽に使用することができる。子供がヘッドセットを自分の頭に被ると、自由に回転できるアームおよびマスクは、頭の上に位置していて、マイクロホンがそれについている。子供はこの装置を頭に被って気楽な気分になっているので、自分の鼻および口の前の位置に、アームまたはヨークを回転することができる。アームまたはヨークがこの位置にくると、薬剤または麻酔薬の流れを、医者による手動、または鎮静装置のヨーク・アームに設置されているマイクロスイッチの作動により、自動的に開始することができる。子供が意識のある状態で鎮静し、医者が往診を必要とする医療を開始することができるようになるまで、通常の呼吸が継続して行われる。医者は、医療中、意識のある状態での鎮静を継続的に行う。子供を意識のある状態で鎮静させることにより、医療による不安のレベルは有意に軽減し、本発明の鎮静手順によっては新しい不安が起きてこない。何故なら、この装置は子供が親しみ易しいからである。本発明の他の利点は、添付の図面を参照しながら、好適な実施形態の詳細な説明を読めば明らかになるだろう。
【図面の簡単な説明】
図１は、本発明の吸入装置の正面図である。
図２は、本発明の好適な実施形態の側面図である。
図３は、使用していない状態の内蔵アームおよびマスクを示す本発明の側面図である。
図４は、単一のユニットに内蔵されているアームおよびマスクの他の実施形態の斜視図である。
図５および図６は、鎮静を受けようとする小児科の患者が被っている本発明である。
本発明の好適な実施形態
図面、特に図１および図２について説明すると、本発明の吸入装置１０は、好適には、鎮静装置１０をユーザの頭の上に快適に支持するための、弾性を持つヘッド・パッド１２を有することが好ましい、ヘッドピース１１を含む。吸入装置１０は、小児科の鎮静装置としての使用に関連して、以下に説明する。しかし、本装置は、噴霧装置、呼吸装置または他の吸入手段としても使用することができることを理解されたい。ヘッドセット１１は、パッド１２で調整することができる、一組のヘッド・ストラップ１３および１４を備えることができる。イヤピース１７および１８が、それぞれ、ストラップ１３および１４に取りつけられている。
イヤピース１７および１８は、好適には、環状のディスクの形をしている軽量で射出成形により形成されたポリエチレン、またはポリスチレンで作られていることが好ましい。このような構成になっているので、内蔵イヤホンをユーザの耳の上に支持することができ、または医療環境また作業環境の両方で使用するための音響減衰手段として使用することもできる。好適には、スピーカ２１および２２を、それぞれ、イヤピース１７および１８に内蔵させることが好ましい。図では、音響パッド２３および２４は、各イヤピース１７および１８上に位置している。前記音響パッドは、患者への快適な感じを高め、音響減衰媒体としての働きをする。
吸入装置１０は、ユーザの鼻の前に位置させることができる顔面用部材３１、およびそれぞれ、ヨークを形成している一組のアーム３２および３３を備えるマスク部材３０を含む。ある種の状況においては、一方のアームだけを使用することが望ましい場合がある。好適な実施形態の場合には、図４により詳細に示すように、単一の部材とするために、顔面用部材３１は、アーム３２および３３と一体に成形される。流体入口導管３４および流体排出導管３７は、マスク部材３０に内蔵されている。入口導管３４は、亜酸化窒素および酸素のような吸入薬剤または麻酔薬源に接続していて、排出導管３７は、吐き出した空気を確実に除去するために、大気に向かって開いているか、または小型の真空ポンプに接続している。呼吸装置の場合には、入口導管３４を、例えば、活性炭を有する呼吸装置フィルタ・パックに、または清浄な空気または酸素源に接続することができる。液体室４０の流体入口６１から室４０に導入された麻酔ガスのような、入口流体が、吸入中に排出導管３７へ流入するのを防止する弁４２を内蔵する流体室４０は、顔面部３１に内蔵される。しかし、ユーザが息を吐くと、弁４２はその弁座から離れ、排出ガスまたは吐き出されたガスは、室４０の排出出口６３から排出導管３７に流入することができる。好適には、図示していないガス・モニタ装置を、導管３７に流入する前に、吐き出されたガスをモニタするために、室４０および４２に隣接して設置することが好ましい。
多数の従来技術のガス吸入／排出弁を本発明のマスク３０に内蔵できるように修正することができる。しかし、好適には、引用によって本明細書の記載に援用する、米国特許第５，０１８，５１９号に開示されているような装置を修正し、室４０として使用することが好ましい。コンパクトであり、顔面用マスクピース３１に内蔵されている排出弁が、効率的な設計になっているので、このタイプのマスクが好ましい。
図５および図６を見れば分かるように、マスク３０の顔面用ピースは、ユーザの顔と比較すると非常に小さい。そのため、麻酔薬の投与前および投与中または本装置の使用前および使用中、ユーザの視野は事実上妨げられない。このことは、作業環境で個人用呼吸装置として使用する際に特に有利である。さらに、本発明の装置１０は、小児科用の鎮静装置に適用する際に特に役に立つ、オーディオ・ヘッドセットの視野効果および装着具合いをシミュレーションする。
図に示すように、マスク部材３０のアーム３２および３３は、それぞれ、環状ピボット・フランジ４４および４６により、それぞれ、イヤピース１７および１８に自由に回転できるように装着されているヨークを形成する。この目的のためには、任意のタイプの自由に回転できる装着手段を使用することができるが、マスク素子３０を、図３にもっとハッキリと示す遊びの位置に維持することができるように、このような装着が、回転摩擦を生じることが望ましい。この位置決めは、マスク素子３０のピボット経路に沿って固定位置ができるように、止め金を使用することにより、選択的に行うことができる。図示していない麻酔薬、吸入薬剤源、または呼吸装置濾過手段に入口ライン３４を自由に回転できるように接続するために使用されるピボット弁が、アーム３２の端部に接続される。また、導管３７を図示していない小型真空ポンプに、自由に回転できるように接続するために、アーム３３上に、ピボット弁３８が設置されている。ピボット弁３６および３８は、マスクのアイドル位置から使用位置への、マスク素子３０の回転運動を容易にする。
本発明の他の実施形態の場合には、小型の集積回路４７が、イヤピース１７および１８の一方または両方に位置している。集積回路４７は、ユーザおよび他の人による、また両者の間の通信用の受信機および送信機を含む。集積回路４７は、電気的に、それぞれ、音響パッド２３および２４の後ろに位置している、スピーカ２１および２２に接続している。ユーザの口の前に移動できるように、位置させることができマイクロホン５１は、集積回路４７の送信機回路に電気的に接続している。また、ヘッドパッド１２上で、医療行為から患者の注意をそらすために使用する、会話型ビデオまたは他のマルチメディア装置を作動させ、または周辺装置を作動するために使用することができる集積回路４７に、赤外線またはＬＥＤモジュール５２が、電気的に接続している。テレビ、オーディオ・ビジュアル等のような会話型装置は、前記モジュールにより作動することができる。上記のような他の実施形態の場合には、ユーザの目がビデオから離れた場合に、その目の動きを追うために、顔面用ピース素子３１上に、走査ＬＥＤを位置させることができる。
好適な実施形態の場合には、集積回路４７は、それ自身の無線通信およびバッテリ供給パケットを含む。しかし、前記ユニットの初期コストを少なくするために、それぞれ図５および図６に示す外部ワイヤ５３および５４を通して、直接電気接続を行うことができる。そのような場合には、多くの場合、ヘッドセットの配線が複雑になるのをなるべく防ぐために、各イヤピースに集積回路または回路手段を内蔵することが望ましい。
本発明の好適な実施形態を図示し説明してきたが、特に、本発明は、添付の請求の範囲内で他の方法で実行することができる。
【図１】
0003688301.tif 000002
【図２】
0003688301.tif 000003
【図３】
0003688301.tif 000004
【図４】
0003688301.tif 000005
【図５】
0003688301.tif 000006
【図６】
0003688301.tif 000007